(57)【要約】  ペイ・パー・コール（Ｐａｙ  Ｐｅｒ  Ｃａｌｌ）方式における電話番号を指標する識別情報を広告情報ごとに動的に割り当てて、識別情報の再利用を可能とすることにより、識別情報の資源の有効活用及び枯渇防止を図ることのできる情報管理方法、情報管理装置、情報管理プログラム及び架電受付装置を提供すること。  この情報管理方法は、ウェブページにおいて明示的又は黙示的に提供され、かつ架電先を識別する識別情報１１ａ〜１１ｃを管理するための情報管理方法であって、広告主電話器７に架電接続可能な状態とされた識別情報１１ａ〜１１ｃを、ウェブページを構築する広告提供サーバ５ａ〜５ｃに向けて送出可能な状態から送出不可能な状態へと変化させるステップと、送出不可能な状態とされた識別情報１１ａ〜１１ｃを、広告主電話器７とは別の架電先に架電接続可能な状態へと変化させるステップと、別の架電先に架電接続可能な状態とされた識別情報１１ａ〜１１ｃを、ウェブサーバ又は他のウェブサーバに向けて送出可能な状態へと変化させるステップとを有する。
2009016740.tif 000002
【特許請求の範囲】
【請求項１】
ウェブページにおいて明示的又は黙示的に提供され、かつ架電先を識別する識別情報を管理するための情報管理方法であって、
第１の架電先に架電接続可能な状態とされた前記識別情報を、前記ウェブページを構築するウェブサーバに向けて送出可能な状態から送出不可能な状態へと変化させるステップと、
前記送出不可能な状態とされた前記識別情報を、第２の架電先に架電接続可能な状態へと変化させるステップと、
該第２の架電先に架電接続可能な状態とされた前記識別情報を、前記ウェブサーバ又は他のウェブサーバに向けて送出可能な状態へと変化させるステップと、を有する情報管理方法。
【請求項２】
前記識別情報を前記ウェブサーバに向けて送出可能な状態から送出不可能な状態へと変化させるステップが、第１の所定条件の成立に基づき実行される請求項１に記載の情報管理方法。
【請求項３】
前記識別情報を前記ウェブサーバに向けて送出可能な状態から送出不可能な状態へと変化させるステップの実行から所定期間経過した後に、該識別情報を前記第１の架電先に架電接続不可能な状態へと変化させるステップ、を更に有する請求項１に記載の情報管理方法。
【請求項４】
前記所定期間を、第２の所定条件の成立に基づき延長又は短縮する請求項３に記載の情報管理方法。
【請求項５】
前記識別情報を、前記第１の架電先に架電接続不可能な状態へと変化させるステップの実行から前記第２の架電先に架電接続可能な状態へと変化させるステップの実行までの接続不可能期間を、第３の所定条件の成立に基づき延長又は短縮する請求項３に記載の情報管理方法。
【請求項６】
ウェブページにおいて明示的又は黙示的に提供され、かつ架電先を識別する識別情報を管理するための情報管理装置であって、
第１の架電先に架電接続可能な状態とされた前記識別情報を、前記ウェブページを構築するウェブサーバに向けて送出可能な状態から送出不可能な状態へと変化させ、
前記送出不可能な状態とされた前記識別情報を、第２の架電先に架電接続可能な状態へと変化させ、
該第２の架電先に架電接続可能な状態とされた前記識別情報を、前記ウェブサーバ又は他のウェブサーバに向けて送出可能な状態へと変化させる情報管理装置。
【請求項７】
前記識別情報を前記第１の架電先に架電接続不可能な状態へと変化させ、該識別情報を前記第２の架電先に架電接続可能な状態へと変化させる接続状態変更部と、
前記識別情報に基づく架電があったことを指標する架電受付情報を受信する架電受付情報受信部と、
前記識別情報を前記送出不可能な状態へと変化させてから前記第１の架電先に架電接続不可能な状態へと変化させるまでの所定期間内に前記架電受付情報を受信した場合に該所定期間を延長し、前記識別情報を前記第１の架電先に架電接続不可能な状態へと変化させてから前記第２の架電先に架電接続可能な状態へと変化させるまでの接続不可能期間内に前記架電受付情報を受信した場合に該接続不可能期間を延長する期間変更部と、を更に有する請求項６に記載の情報管理装置。
【請求項８】
ウェブページにおいて提供される広告情報を識別するための管理情報を、該ウェブページを構築するウェブサーバから取得するための管理情報取得部と、
架電先を識別するための識別情報と前記取得した管理情報とが関連付けられているか否かを判別するための第１判別部と、
前記識別情報が前記ウェブサーバに向けて提供可能な状態であるか否かを判別するための第２判別部と、
前記識別情報と前記管理情報とが関連付けられており、かつ前記提供可能な状態である場合に、前記識別情報を前記ウェブサーバに向けて送出する識別情報送出部と、を有する情報管理装置。
【請求項９】
前記識別情報と前記管理情報とが関連付けられていない場合に、該識別情報と該管理情報との関連付けを行う識別情報関連付け実行部を更に有する請求項８に記載の情報管理装置。
【請求項１０】
前記識別情報が前記ウェブサーバに向けて提供不可能な状態である場合に、該識別情報とは異なる他の識別情報と前記管理情報との関連付けを行う識別情報関連付け実行部を更に有する請求項８に記載の情報管理装置。
【請求項１１】
ウェブページにおいて明示的又は黙示的に提供され、かつ架電先を識別する識別情報を管理するための情報管理プログラムであって、
コンピュータに、
第１の架電先に架電接続可能な状態とされた前記識別情報を、前記ウェブページを構築するウェブサーバに向けて送出可能な状態から送出不可能な状態へと変化させ、
前記送出不可能な状態とされた前記識別情報を、第２の架電先に架電接続可能な状態へと変化させ、
該第２の架電先に架電接続可能な状態とされた前記識別情報を、前記ウェブサーバ又は他のウェブサーバに向けて送出可能な状態へと変化させる機能を発揮させる情報管理プログラム。
【請求項１２】
コンピュータを、
ウェブページにおいて提供される広告情報を識別するための管理情報を、該ウェブページを構築するウェブサーバから取得するための管理情報取得部、
架電先を識別するための識別情報と前記取得した管理情報とが関連付けられているか否かを判別するための第１判別部、
前記識別情報が前記ウェブサーバに向けて提供可能な状態であるか否かを判別するための第２判別部、及び、
前記識別情報と前記管理情報とが関連付けられており、かつ前記提供可能な状態である場合に、前記識別情報を前記ウェブサーバに向けて送出する識別情報送出部として機能させる情報管理プログラム。
【請求項１３】
ウェブページにおいて明示的又は黙示的に提供され、架電先を識別するための識別情報に基づく架電を受け付ける架電受付部と、
該識別情報にいずれかの架電先が関連付けられている場合に該架電先の情報を受信し、前記識別情報にいずれの架電先も関連付けられていない場合に架電先無しを指標する情報を受信する架電先情報受信部と、
前記架電先の情報を受信した場合に前記架電を該架電先へと接続し、前記架電先無しを指標する情報を受信した場合に前記架電を非接続とする架電接続部と、を有する架電受付装置。
【発明の詳細な説明】
【技術分野】
【０００１】
本発明は、情報管理方法、情報管理装置、情報管理プログラム及び架電受付装置に係り、特にペイ・パー・コール（Ｐａｙ  Ｐｅｒ  Ｃａｌｌ）方式において識別情報を再利用して情報資源を有効利用することのできる情報管理方法等に関する。
【背景技術】
【０００２】
従来より、インターネットのウェブページを利用した広告方法の一方式として、ペイ・パー・クリック（Ｐａｙ  ｐｅｒ  Ｃｌｉｃｋ）方式というものが利用されている。ペイ・パー・クリック方式とは、広告代理業者が、ウェブページ上に表示された広告情報のクリック回数に応じて広告主に対して広告料を課金する方式のことをいう。【０００３】
例えば広告提供サイトのウェブページに広告主の広告情報が掲載され、そのページを閲覧した利用者が広告情報を選択（クリック）すると、広告主が管理する自社のウェブサイトへとリンクされてその広告情報に関する詳細情報を閲覧することができるようになっている。そして、その広告情報のクリック回数に応じて広告主がポータルサイトの管理者に広告料を支払うのである。【０００４】
このような方式は、利用者（閲覧者）が多く、高い広告効果の獲得が可能なポータル（玄関）サイトにおいてよく用いられる。ポータルサイトの管理者は、そのサイトページの一部に広告掲載枠を設けてその広告掲載枠を広告主に貸与することによって広告を行い、この広告情報がクリックされた回数に応じて広告主から広告料を徴収するようになっている。【０００５】
しかし、このペイ・パー・クリック方式は、広告主が自社サイトを有していない場合には、リンク先を設定することができず広告情報に関する詳細情報を提供することもできないという問題がある。単に広告情報をクリックするのみで広告料の支払が発生するので、広告費用に対する効果として、「利用者（顧客）との直接的なコンタクト（連絡）」を得ることもできない。【０００６】
また、利用者が何げなく広告情報をクリックした場合や意図的に繰り返しクリックした場合でも、クリック回数に応じて広告料が課金されてしまうので、広告効果と広告料との関連性が低くなってしまう場合もある。【０００７】
そこで、広告提供サイトのウェブページに広告情報とともに広告主ごとに対応付けられた電話番号を掲載し、それを見た利用者が広告主に対して電話を架けた場合に、その通話の成立に基づいて広告料の課金を発生させる方式も提案されている。なお、この広告方法の一方式を、ペイ・パー・コール（Ｐａｙ  ｐｅｒ  Ｃａｌｌ）方式といい、例えば特許文献１に記載のものがある。【０００８】
しかしながら、多数の広告提供サイトに広告情報を掲載する場合に、掲載するすべての電話番号を一律に同じ電話番号にしてしまうと、利用者がどの広告提供サイトを見て電話を架けてきたのかわからない。そのため、どの広告提供サイトの広告効果が高く、どの広告提供サイトの広告効果が低いのかを把握することができないという問題がある。【０００９】
そのため、広告情報ごとに異なる電話番号を割り振って異なる広告提供サイトに掲載し、いずれの電話番号に電話が架かってきたかによって利用者がいずれの広告提供サイトを見て電話を架けてきたかを把握する方法も提案されている（例えば、特許文献２を参照。）。この方法によれば、広告提供サイトごとの広告効果を把握することができる。【００１０】
【特許文献１】特開２００５−１１５９４５号公報
【特許文献２】国際公開第２００７／０１５５３１号パンフレット
【発明の開示】
【発明が解決しようとする課題】
【００１１】
近年では広告提供サイトも数多く存在している。例えば、広告主が１０，０００の広告提供サイトに自社の広告情報を掲載する場合に、これらのサイトごとに異なる電話番号を割り当てて掲載する場合には１０，０００番号という膨大な数の電話番号を準備する必要がある。【００１２】
更に、１つの広告提供サイト内に複数の商材（商品やサービス等の広告の対象物。）の広告情報を掲載する場合もある。仮に、広告主が１つの広告提供サイト内に１０，０００種類の商材の広告情報を掲載し、各々の商材について各々異なる電話番号を割り当てるとすると、１０，０００サイト×１０，０００商材で１００，０００，０００番号の電話番号を準備する必要がある。【００１３】
このように、数多くの広告提供サイト及び商材ごとに異なる電話番号を割り当てるには、桁数の多い電話番号とする必要がある。しかし電話番号の桁数が増えると、電話を架ける利用者の架け間違いが増えたり、煩わしさから架電を断念する利用者が増えたりしてしまい、広告効果の減退に繋がってしまう。架電受付システム側の仕様により、広告情報に対して割当て可能な電話番号桁数に制約があり、むやみに桁数を増加させることができない場合もある。【００１４】
また、広告主が広告情報を掲載する広告提供サイトの数や取り扱う商材の種類は変動することがあるため、広告主ごとに（又は広告提供サイトごとに）余裕を見て多めの電話番号数を確保しておく必要がある。そうすると、電話番号の桁数を例え多くしてもその電話番号資源がすぐに枯渇してしまい、更にどんどん電話番号の桁数を増やして広告主ごとの電話番号数の確保に対応しなければならない。【００１５】
本発明は上記の事情に鑑みて為されたもので、ペイ・パー・コール（Ｐａｙ  Ｐｅｒ  Ｃａｌｌ）方式における電話番号を指標する識別情報を広告情報ごとに動的に割り当てて、識別情報の再利用を可能とすることにより、識別情報の資源の有効活用及び枯渇防止を図ることのできる情報管理方法、情報管理装置、情報管理プログラム及び架電受付装置を提供することを例示的課題とする。
【課題を解決するための手段】
【００１６】
上記の課題を解決するために、本発明の例示的側面としての情報管理方法は、ウェブページにおいて明示的又は黙示的に提供され、かつ架電先を識別する識別情報を管理するための情報管理方法であって、第１の架電先に架電接続可能な状態とされた識別情報を、ウェブページを構築するウェブサーバに向けて送出可能な状態から送出不可能な状態へと変化させるステップと、送出不可能な状態とされた識別情報を、第２の架電先に架電接続可能な状態へと変化させるステップと、第２の架電先に架電接続可能な状態とされた識別情報を、ウェブサーバ又は他のウェブサーバに向けて送出可能な状態へと変化させるステップと、を有する。【００１７】
第１の架電先に架電接続可能とされた識別情報を、ウェブサーバに向けて送出可能な状態から送出不可能な状態へと変化させた上で第２の架電先に架電接続可能とし、ウェブサーバ又は他のウェブサーバへと送出可能とするので、１つの識別情報に対して動的に異なる架電先を接続可能とすることができる。したがって、識別情報の有効活用及び枯渇防止に寄与することができる。【００１８】
ここで、「ウェブページにおいて明示的又は黙示的に提供され」とは、ウェブページ上に文字情報として明示的に識別情報が表示される場合を含む。また、ウェブページ上に明示的に表示されないが、そのウェブページのデータに内部的に関連付けられており、ウェブページに対する何らかの操作に基づき明示的に提供可能であったり、その識別情報に関連付けられた架電先へと架電可能であったりする状態を含む。【００１９】
識別情報とは、架電先に関連付けられることによりその架電先を識別する情報であって、例えば複数桁の番号を含んで構成される。また、識別情報は、例えば広告情報にも関連付けられており、広告情報ごとに異なる識別情報が割り当てられるようになっていてもよい。【００２０】
識別情報がウェブサーバに向けて送出可能な状態とは、例えば、利用者がウェブページにアクセスしたときに、広告情報に関連付けられた識別情報がウェブサーバへと送信されてそのウェブページ上に表示され得る状態をいう。「識別情報が第１の架電先に架電接続可能な状態」とは、識別情報に基づく架電が第１の架電先に接続され得る状態をいう。【００２１】
識別情報をウェブサーバに向けて送出可能な状態から送出不可能な状態へと変化させるステップが、第１の所定条件の成立に基づき実行されてもよい。【００２２】
第１の所定条件の成立は、例えば一定期間の満了、一定回数の満了を含む。例えば、一定期間満了に基づき、識別情報をウェブサーバに向けて送出不可能とすれば、一定期間のみ識別情報をウェブサーバにおいて提供可能とし、その後ウェブサーバにおいて提供不可能とすることができる。【００２３】
そして、提供不可能とした識別情報を、今度は第１の架電先とは異なる第２の架電先に架電接続可能な状態にしてウェブサーバに向けて提供することができるので、１つの識別情報を時期的にずらして様々な架電先へと関連付けることができ、識別情報を有効に再利用することができる。【００２４】
一方、識別情報と広告情報とが関連付けられている場合には、１つの広告情報に関連付ける識別情報を時期的にずらして様々に変えることができる。したがって、利用者からの架電がいずれの識別情報に基づき行われたかを把握することにより、その広告情報が高い広告効果を発揮している時期や時間帯を把握することができる。【００２５】
識別情報をウェブサーバに向けて送出可能な状態から送出不可能な状態へと変化させるステップの実行から所定期間経過した後に、識別情報を第１の架電先に架電接続不可能な状態へと変化させるステップ、を更に有してもよい。そして、その所定期間を、第２の所定条件の成立に基づき延長又は短縮してもよい。【００２６】
第２の所定条件の成立は、例えばその所定期間内の識別情報に基づく架電の有無を含む。すなわち、所定期間内に、識別情報に基づく架電が有った場合に所定期間を延長したり、架電が無かった場合に所定期間を短縮したりすることができる。これにより、ウェブページに提供されなくなった識別情報であっても、依然その識別情報に関連付けられた広告情報の広告効果が残存して時々その識別情報に基づく架電が行われるような場合に、その架電を適正に第１の架電先に接続可能な期間（所定期間）を延長することができる。【００２７】
なお、ここで「架電接続不可能な状態」とは、その識別情報に基づく架電を架電先に非接続とすることをいう。すなわち、識別情報に基づく架電があっても、その架電を架電先に着信させず、話中処理したり、呼出し状態のまま保留したり、接続先が無い旨の応答アナウンス処理をしたりすることをいう。【００２８】
識別情報を、第１の架電先に架電接続不可能な状態へと変化させるステップの実行から第２の架電先に架電接続可能な状態へと変化させるステップの実行までの接続不可能期間を、第３の所定条件の成立に基づき延長又は短縮してもよい。【００２９】
第３の所定条件の成立は、例えばその接続不可能期間内の識別情報に基づく架電の有無を含む。すなわち、接続不可能期間内に、識別情報に基づく架電が有った場合に接続不可能期間を延長したり、架電が無かった場合に接続不可能期間を短縮したりすることができる。これにより、ウェブページに提供されなくなってから長期間経過した識別情報であっても、依然その識別情報に関連付けられた広告情報の広告効果が残存してその識別情報に基づく架電が時々行われるような場合に、しばらくは新たな第２の架電先への接続を行うことなく、その架電を非接続とする期間を延長することができる。【００３０】
本発明の他の例示的側面としての情報管理装置は、ウェブページにおいて明示的又は黙示的に提供され、かつ架電先を識別する識別情報を管理するための情報管理装置であって、第１の架電先に架電接続可能な状態とされた識別情報を、ウェブページを構築するウェブサーバに向けて送出可能な状態から送出不可能な状態へと変化させ、送出不可能な状態とされた識別情報を、第２の架電先に架電接続可能な状態へと変化させ、第２の架電先に架電接続可能な状態とされた識別情報を、ウェブサーバ又は他のウェブサーバに向けて送出可能な状態へと変化させる。【００３１】
第１の架電先に架電接続可能とされた識別情報を、ウェブサーバに向けて送出可能な状態から送出不可能な状態へと変化させた上で第２の架電先に架電接続可能とし、ウェブサーバ又は他のウェブサーバへと送出可能とするので、１つの識別情報に対して動的に異なる架電先を接続可能とすることができる。したがって、識別情報の有効活用及び枯渇防止に寄与することができる。【００３２】
識別情報を第１の架電先に架電接続不可能な状態へと変化させ、識別情報を第２の架電先に架電接続可能な状態へと変化させる接続状態変更部と、識別情報に基づく架電があったことを指標する架電受付情報を受信する架電受付情報受信部と、識別情報を前記送出不可能な状態へと変化させてから第１の架電先に架電接続不可能な状態へと変化させるまでの所定期間内に架電受付情報を受信した場合に所定期間を延長し、識別情報を第１の架電先に架電接続不可能な状態へと変化させてから第２の架電先に架電接続可能な状態へと変化させるまでの接続不可能期間内に架電受付情報を受信した場合に接続不可能期間を延長する期間変更部と、を更に有してもよい。【００３３】
期間変更部の作用により、ウェブページに提供されなくなった識別情報であっても、その識別情報に関連付けられた広告情報の広告効果の残存の程度に応じて、その識別情報に基づく架電を適正に第１の架電先に接続可能な期間（所定期間）を延長したり、その架電を非接続とする期間（接続不可能期間）を延長したりすることができる。【００３４】
本発明の更に他の例示的側面としての情報管理装置は、ウェブページにおいて提供される広告情報を識別するための管理情報を、ウェブページを構築するウェブサーバから取得するための管理情報取得部と、架電先を識別するための識別情報と取得した管理情報とが関連付けられているか否かを判別するための第１判別部と、識別情報がウェブサーバに向けて提供可能な状態であるか否かを判別するための第２判別部と、識別情報と管理情報とが関連付けられており、かつ提供可能な状態である場合に、識別情報をウェブサーバに向けて送出する識別情報送出部と、を有している。【００３５】
管理情報と識別情報とが関連付けられている場合であって、その識別情報がウェブサーバに提供可能である場合に識別情報送出部が識別情報を送出するので、管理情報と識別情報とが関連付けられていない場合や、関連付けられている識別情報が提供不可能な状態の場合に、識別情報をウェブサーバに向けて送出することがない。したがって、識別情報の状態に応じて適正にウェブサーバへの送出／非送出を管理することができる。【００３６】
ここで管理情報とは、広告情報を識別するための情報であって、例えば広告主ごとに割り当てられた広告主ＩＤ（以下、ＭＩＤという。）、広告事業者ごとに割り当てられた広告事業者ＩＤ（以下、ＤＩＤという。）、広告に係る商品又はサービス（商材）ごとに割り当てられたＩＤ（以下、ＰＩＤという。）、広告事業者の関連先であって広告情報のページ掲載依頼先である広告提供者（パートナー）のサイトごとに割り当てられたＩＤ（以下、ＳＩＤという。）を含む。また、パートナーとの契約に基づき、個人が自身のウェブページやブログ等に広告情報を掲載する場合にその個人ページや個人ブログごとに割り当てられたＩＤ（以下、ＵＩＤという。）を含む場合もある。【００３７】
識別情報と管理情報とが関連付けられていない場合に、識別情報と管理情報との関連付けを行う識別情報関連付け実行部を更に有してもよい。【００３８】
識別情報と管理情報とが関連付けられていない場合、すなわち両者の関連付けが解除されている場合に、識別情報関連付け実行部が識別情報と管理情報との関連付けを行うので、識別情報送出部は、ウェブサーバから管理情報を取得した場合に必ずそのウェブサーバに向けて識別情報を送出することができる。したがって、ウェブページにおいて、広告情報に関連付けられた識別情報を必ず表示することができる。【００３９】
その識別情報を、いずれの管理情報とも関連付けられていない識別情報の中から抽出するのはもちろんのこと、いずれの架電先とも関連付けられていない識別情報の中から抽出して、その広告情報に係る架電先と関連付けつつ管理情報とも関連付けて、ウェブサーバに向けて送出することにより、ウェブページにおいて提供された識別情報に基づく架電を適正にその架電先へと接続することができる。【００４０】
識別情報がウェブサーバに向けて提供不可能な状態である場合に、識別情報とは異なる他の識別情報と管理情報との関連付けを行う識別情報関連付け実行部を更に有する請求項８に記載の情報管理装置。【００４１】
管理情報と関連付けられた識別情報が提供不可能状態である場合に、識別情報関連付け実行部が他の識別情報と管理情報との関連付けを行うので、識別情報送出部は、ウェブサーバから管理情報を取得した場合に識別情報が提供不可能であっても他の識別情報をウェブサーバに向けて送出することができる。したがって、ウェブページにおいて、広告情報に関連付けられた識別情報を必ず表示することができる。【００４２】
他の識別情報を、いずれの管理情報とも関連付けられていない識別情報の中から抽出するのはもちろんのこと、いずれの架電先とも関連付けられていない識別情報の中から抽出して、その広告情報に係る架電先と関連付けつつ管理情報とも関連付けて、ウェブサーバに向けて送出することにより、ウェブページにおいて提供された他の識別情報に基づく架電を適正にその架電先へと接続することができる。【００４３】
本発明の更に他の例示的側面としての情報管理プログラムは、ウェブページにおいて明示的又は黙示的に提供され、かつ架電先を識別する識別情報を管理するための情報管理プログラムであって、第１の架電先に架電接続可能な状態とされた識別情報を、ウェブページを構築するウェブサーバに向けて送出可能な状態から送出不可能な状態へと変化させ、送出不可能な状態とされた識別情報を、第２の架電先に架電接続可能な状態へと変化させ、第２の架電先に架電接続可能な状態とされた識別情報を、ウェブサーバ又は他のウェブサーバに向けて送出可能な状態へと変化させる機能をコンピュータに発揮させる。【００４４】
第１の架電先に架電接続可能とされた識別情報を、ウェブサーバに向けて送出可能な状態から送出不可能な状態へと変化させた上で第２の架電先に架電接続可能とし、ウェブサーバ又は他のウェブサーバへと送出可能とするので、１つの識別情報に対して動的に異なる架電先を接続可能とすることができる。したがって、識別情報の有効活用及び枯渇防止に寄与することができる。【００４５】
本発明の更に他の例示的側面としての情報管理プログラムは、ウェブページにおいて提供される広告情報を識別するための管理情報を、ウェブページを構築するウェブサーバから取得するための管理情報取得部、架電先を識別するための識別情報と取得した管理情報とが関連付けられているか否かを判別するための第１判別部、識別情報がウェブサーバに向けて提供可能な状態であるか否かを判別するための第２判別部、及び、識別情報と管理情報とが関連付けられており、かつ提供可能な状態である場合に、識別情報をウェブサーバに向けて送出する識別情報送出部としてコンピュータを機能させる。【００４６】
管理情報と識別情報とが関連付けられている場合であって、その識別情報がウェブサーバに提供可能である場合に識別情報送出部が識別情報を送出するので、管理情報と識別情報とが関連付けられていない場合や、関連付けられている識別情報が提供不可能な状態の場合に、識別情報をウェブサーバに向けて送出することがない。したがって、識別情報の状態に応じて適正にウェブサーバへの送出／非送出を管理することができる。【００４７】
本発明の更に他の例示的側面としての架電受付装置は、ウェブページにおいて明示的又は黙示的に提供され、架電先を識別するための識別情報に基づく架電を受け付ける架電受付部と、識別情報にいずれかの架電先が関連付けられている場合に架電先の情報を受信し、識別情報にいずれの架電先も関連付けられていない場合に架電先無しを指標する情報を受信する架電先情報受信部と、架電先の情報を受信した場合に架電を架電先へと接続し、架電先無しを指標する情報を受信した場合に架電を非接続とする架電接続部と、を有する。【００４８】
本発明の更なる目的又はその他の特徴は、以下添付図面を参照して説明される好ましい実施の形態によって明らかにされるであろう。
【発明の効果】
【００４９】
本発明によれば、ペイ・パー・コール（Ｐａｙ  Ｐｅｒ  Ｃａｌｌ）方式における電話番号を指標し、架電先を識別するための識別情報を広告情報ごとに動的に割り当てて、識別情報の再利用を可能とすることにより、識別情報の資源の有効活用及び枯渇防止を図ることができる。【００５０】
ウェブページへの提供期間や提供回数に応じて動的に識別情報を変化させることにより、広告効果を時期や時間帯に基づき把握することもできる。また、ウェブページへの提供が終了した識別情報に基づく架電の有無の程度に応じて架電先への接続期間や非接続期間を延長／短縮することにより、広告効果の確実な獲得や利用者の混乱防止、識別情報の資源の一層の有効活用を実現することができる。
【発明を実施するための最良の形態】
【００５１】
［実施の形態１］
以下、本発明の実施の形態１に係る情報管理方法を用いた広告情報管理システムＳについて図面を用いて説明する。なお、本明細書において、サーバはサーバコンピュータを意味し、サイト（ウェブサイト、インターネットサイトも略同義。）は、サーバ内に仮想的に構築されるウェブページの集合体を意味する。ウェブページとは、ＵＲＬによって特定することができ、文字情報や画像情報等の種々の情報が掲載される仮想的な情報提供媒体である。ここにおいて、「ウェブサイトに掲載」することを「ウェブページに掲載」することと同義に用い、「ウェブサイトを閲覧」することを「ウェブページを閲覧」することと同義に用いる。【００５２】
図１は、この広告情報管理システムＳの全体構成を示す概略構成図である。この広告情報管理システムＳは、情報管理サーバ（情報管理装置）１、架電受付サーバ（架電受付装置）２を有して大略構成され、その情報管理サーバ１は、インターネットＷを介して広告主サーバ３、事業者サーバ４、広告提供サーバ５ａ〜５ｃ、利用者コンピュータ６と情報送受信可能に接続されている。広告主と利用者とは各々広告主電話器７、利用者電話器８を有しており、それらは電話回線網Ｎを介して架電受付サーバ２に接続されている。【００５３】
広告主サーバ３は、広告主Ａが管理するサーバコンピュータであり、内部に第２のインターネットサイトとしての広告主のウェブサイト（広告主サイト）３ａが構築されている。この広告主サイト３ａは、後述する広告情報９ａ〜９ｃにリンクされており、利用者Ｕが広告情報９ａ〜９ｃをクリックすることによって利用者コンピュータ６に広告主サイト３ａの内容（広告情報の詳細情報。）が表示されるようになっている。また、広告主Ａは広告主サーバ３を介して事業者サーバ４に向けてバナー画像９を送出することができるようになっている。【００５４】
このバナー画像９は、例えば利用者の注意を惹き付けるように種々の色彩や模様が付加された装飾的広告画像であったり、広告主Ａの広告内容を簡単に説明する説明的広告画像である。【００５５】
事業者サーバ４は、広告事業者が管理するサーバコンピュータであり、インターネットＷを介して複数の広告提供サーバ５ａ〜５ｃに接続され、これらの広告提供サーバ５ａ〜５ｃを統括管理するためのものである。事業者サーバ４は、広告主サーバ３からバナー画像９を受け取る機能を有している。そして、そのバナー画像９を情報管理サーバ１に向けて送出し、Ｆｌａｓｈ等のスクリプト（指標情報）２１と合成された合成後のバナー画像９を情報管理サーバ１から受け取る。更に、その合成後のバナー画像９を、複数の広告提供サーバ５ａ〜５ｃに向けて広告情報９ａ〜９ｃとして送出する機能も有する。このスクリプト２１の詳細については後述する。【００５６】
事業者サーバ４は内部に図示しない記憶装置を有している。その記憶装置内には、図２に示すように管理ＩＤデータベース４ａが構築されている。この管理ＩＤデータベース４ａは、管理ＩＤ（管理情報）１４とバナー画像９とが関連付けられて構築されている。【００５７】
この管理ＩＤ１４は、広告情報９ａ〜９ｃごとの課金管理を行うのに用いる情報であって、広告情報９ａ〜９ｃを識別する情報である。管理ＩＤは、例えばＭＩＤ（広告主ＩＤ）１４ｐ、ＤＩＤ（広告事業者ＩＤ）１４ｑ、ＰＩＤ（商材ＩＤ）１４ｒ、ＳＩＤ（広告提供サイトＩＤ）１４ｓを含んで構成されている。すなわち、管理ＩＤ１４によって、いずれの広告事業者が管理するいずれの広告提供サイトに掲載されたいずれの商材の広告情報であるかを識別することができるようになっている。更に、管理ＩＤ１４がＵＩＤ（個人ページＩＤ）１４ｔを含む場合は、管理ＩＤによって、その広告情報がいずれの広告提供サイトの管理者（広告提供者）との契約に基づきいずれの個人ページ（又は個人ブログ等。）に掲載されたものであるかを識別することができるようになっている。したがって、広告情報９ａ〜９ｃには、各々管理ＩＤ１４ａ〜１４ｃが関連付けられている。【００５８】
広告提供サーバ（ウェブサーバ）５ａ〜５ｃは、それぞれ広告提供者が管理するサーバコンピュータであり、各々内部に第１のインターネットサイトとしての広告提供サイト１２ａ〜１２ｃが構築されている。図３は、広告提供サイト１２ａのウェブページの表示画面例である。【００５９】
この広告提供サイト１２ａはいわゆるポータルサイトと呼ばれるもので、ウェブページ内に様々な情報が掲載されている。ウェブページ内には広告掲載枠１３ａが配置され、広告掲載枠１３ａ内には事業者サーバ４から受け取った広告情報９ａが掲載されている。【００６０】
広告情報９ａは、バナー画像９とスクリプト２１とが合成されて構成されており、利用者Ｕの注意を惹き付けつつ利用者Ｕに対してスクリプト２１の機能により識別情報１１ａを表示する機能を有している。その識別情報１１ａは、架電先を識別するための情報であって、例えば前半７桁のサーバ識別番号と後半１０桁の広告識別番号とを有する合計１７桁の電話番号情報「０１２５４２３−００１１００２５５３」である。利用者Ｕは、この識別情報１１ａに基づいて架電を行うことにより、この広告情報９ａの広告主Ａと電話連絡（通話）を行うことができるようになっている。【００６１】
広告提供サイト１２ａにおける識別情報１１ａの提供方法としては、いくつかの方法が適用可能である。例えば、図３に示すように、バナー画像９と共に識別情報１１ａを広告提供サイト１２ａ上に掲載して表示する方法もある。例えば、図４（ａ）に示すように、通常状態、すなわちバナー画像９上にマウスポインタＭがない場合にはバナー画像９のみが表示されて識別情報１１ａが表示されず、図４（ｂ）に示すように、バナー画像９上にマウスポインタＭを移動させた場合に識別情報１１ａがバルーン表示される方法もある。例えば、図５（ａ）に示すように、通常状態、すなわちバナー画像９上をマウスでクリックする前はバナー画像９のみが表示されて識別情報１１ａが表示されず、図５（ｂ）に示すように、バナー画像９をマウスでクリックすると別ウィンドウが表示されてそのウィンドウ内に識別情報１１ａが表示される方法もある。【００６２】
広告提供サイト１２ｂ，１２ｃにも同様に広告情報９ｂ，９ｃが掲載される。その広告情報９ｂ，９ｃ中のバナー画像９は広告情報９ａのものと共通であるが、スクリプト２１の機能により表示される識別情報１１ｂ、１１ｃは各々の番号が異なっている。すなわち、識別情報１１ｂは、「０１２５４２３−００１１００２５５４」であり、識別情報１１ｃは、「０１２５４２３−００１１００２５５５」である。したがって、利用者Ｕがどの番号に電話を架けたかを把握すれば、どの広告情報９ａ〜９ｃの広告効果があったかを把握することができるようになっている。【００６３】
もちろん、識別情報１１ａ〜１１ｃは１７桁の電話番号情報に限られず、２〜４桁程度の電話番号の一部の情報であってもよいし、電話を架けた後に利用者Ｕが応答先のサーバに向けて入力するための数桁の入力番号であってもよい。また、応答先のサーバが音声認識機能を有している場合には、識別情報１１ａ〜１１ｃは、利用者Ｕが架電中に発声するためのキーワードであってもよい。広告提供サイト１２ｂ，１２ｃのその他の構成については広告提供サイト１２ａと同様であるので説明を省略する。【００６４】
なお、本実施の形態１においては、事業者サーバ４を広告事業者が管理し広告提供サーバ５ａ〜５ｃを広告提供者が管理するものとして各々別々のサーバとして説明したが、もちろんこれらは必ずしも各々別々である必要はない。例えば１つの広告事業者が複数の広告提供サーバ５ａ〜５ｃを管理し、事業者サーバ４を廃して各広告提供サーバ５ａ〜５ｃがそれぞれ事業者サーバとしての機能を併せ持っていてもよい。また、各広告提供サイト１２ａ〜１２ｃの管理者との契約に基づき、各広告提供サイト１２ａ〜１２ｃに関連付けられた複数の個人ページに広告情報９ａ〜９ｃが掲載されてもよい。【００６５】
利用者コンピュータ６は、広告提供サイト１２ａ〜１２ｃを閲覧する利用者Ｕが管理、使用するコンピュータである。利用者Ｕが利用者コンピュータ６によりインターネットＷを介して広告提供サイト１２ａを閲覧すると、広告提供サイト１２ａ内の様々な情報と共に広告情報９ａが利用者コンピュータ６の表示画面に表示されるようになっている。【００６６】
そして、利用者Ｕが広告情報９ａに興味を持ち、表示された「０１２５４２３−００１１００２５５３」の番号に自宅の利用者電話器８から架電を行うと、架電受付サーバ２によって受け付けられ、広告主Ａと通話を行うことができるようになっている。【００６７】
情報管理サーバ１は、この広告情報管理システムＳの主要部を構成するサーバコンピュータであり、インターネットＷを介して事業者サーバ４に接続されている。情報管理サーバ１は、事業者サーバ４から受け取ったバナー画像９にスクリプト２１を合成して、合成後のバナー画像９を事業者サーバ４に向けて返送する動作を実行する。更に、広告提供サーバ５ａ〜５ｃから管理ＩＤ１４ａ〜１４ｃの情報と共に識別情報１１ａ〜１１ｃの要求信号を取得する動作も実行する。その要求信号に基づき、管理ＩＤ１４ａ〜１４ｃに対応する広告提供サーバ５ａ〜５ｃに向けて、識別情報１１ａ〜１１ｃをその状態に基づいて動的に割り振って送出する動作も実行する。更に、後述する架電受付サーバ２から識別情報１１ａ〜１１ｃを受け取ると、その識別情報１１ａ〜１１ｃの状態を指標する情報を架電受付サーバ２に向けて送出する動作も実行する。【００６８】
図６は、この情報管理サーバ１の内部構成の概略を示すブロック図である。情報管理サーバ１は、内部に演算処理装置（ＣＰＵ）１５、記憶装置１６を有している。このＣＰＵ１５がコンピュータの主要部として上記の各動作を実行する。【００６９】
記憶装置１６内には、情報管理プログラムＰ、情報管理データベースＤ、識別情報データベースＥが格納されている。上記の各動作は、この情報管理プログラムＰの指令に基づいてＣＰＵ１５が実行する。すなわち、情報管理プログラムＰにより、ＣＰＵ１５は、スクリプト合成部１５ａ、管理ＩＤ取得部（管理情報取得部）１５ｂ、第１判別部１５ｃ、第２判別部１５ｄ、識別情報関連付け実行部１５ｅ、識別情報送出部１５ｆ、送出状態変更部１５ｇ、接続状態変更部１５ｈ、架電受付情報受信部１５ｊ、期間変更部１５ｋとして機能する。以下、各部の機能及びその動作について図７を参照しつつ説明する。【００７０】
スクリプト合成部１５ａは、事業者サーバ４から受け取ったバナー画像９に対して所定のスクリプト２１を合成し、事業者サーバ４に向けて返送する機能を有する。そのスクリプト２１が合成された合成後のバナー画像９は、広告情報９ａ〜９ｃとして事業者サーバ４から複数の広告提供サーバ５ａ〜５ｃに向けて送信される。【００７１】
スクリプト２１は、例えばＦｌａｓｈ等により構成され、識別情報１１を要求する要求信号を情報管理サーバ１に向けて送出し、情報管理サーバ１から受け取った識別情報１１をウェブページ内に表示する機能を有する動作モジュールである。すなわち、広告提供サイト１２ａ〜１２ｃのウェブページが利用者Ｕによって閲覧されると、ウェブページに掲載された広告情報９ａ〜９ｃ内のスクリプト２１の機能に基づき、情報管理サーバ１から受け取った識別情報１１ａ〜１１ｃがそのウェブページ内に表示されるようになっている。【００７２】
管理ＩＤ取得部１５ｂは、広告提供サーバ５ａ〜５ｃから送出される管理ＩＤ１４ａ〜１４ｃを取得する機能を有する。例えば、利用者Ｕが利用者コンピュータ６を用いて広告提供サイト１２ａにアクセスすると、広告情報９ａ内のスクリプト２１の機能に基づき、広告提供サーバ５ａから情報管理サーバ１に向けて識別情報の要求信号が送出される。その際、広告提供サーバ５ａからは要求信号と共に広告情報９ａの管理ＩＤ１４ａも情報管理サーバ１に向けて送出され、その管理ＩＤ１４ａが管理ＩＤ取得部１５ｂによって取得される。管理ＩＤ取得部１５ｂは、取得した管理ＩＤ１４の情報を第１判別部１５ｃ及び第２判別部１５ｄに向けて送出する。【００７３】
第１判別部１５ｃは、取得した管理ＩＤ１４ａといずれかの識別情報とが関連付けられているか否かを判別する機能を有する。この判別機能は、情報管理データベースＤを用いることにより行われるので、以下、情報管理データベースＤについて説明する。【００７４】
図８は、情報管理データベースＤの内部構造の概略を示すデータ構造図である。情報管理データベースＤは、管理ＩＤ１４、識別情報１１、状態情報１７が相互に関連付けられて構築されている。この情報管理データベースＤにおいて、例えば管理ＩＤ１４ａに対応して識別情報１１ａが関連付けられている場合、管理ＩＤ１４ａが指標する架電先（すなわち、広告主Ａの広告主電話器７。）と識別情報１１ａとが関連付けられていることを意味する。【００７５】
ここで、状態情報１７は、識別情報１１の種々の状態を指標する情報であり、例えば、送出状態情報１７ａ、接続状態情報１７ｂを有している。送出状態情報１７ａが”１”の場合、広告提供サーバ５ａ〜５ｃに向けてその識別情報１１を送出することが可能な状態であることを意味している。送出状態情報１７ａが”０”の場合、広告提供サーバ５ａ〜５ｃに向けてその識別情報１１を送出することが不可能な状態であることを意味している。【００７６】
また、接続状態情報１７ｂが”１”の場合、識別情報１１に基づく架電が、その識別情報１１に関連付けられている管理ＩＤ１４が指標する架電先に接続可能な状態であることを意味している。接続状態情報１７ｂが”０”の場合、識別情報１１に基づく架電が、その識別情報１１に関連付けられている管理ＩＤ１４が指標する架電先に接続不可能な状態であることを意味している。例えば、管理ＩＤ１４ａに対応して識別情報１１ａが関連付けられている場合であってその接続状態情報１７ｂが”１”の場合、その識別情報１１ａに基づく架電が管理ＩＤ１４ａが指標する広告主Ａの広告主電話器７へと接続されるようになっている。【００７７】
なお、情報管理データベースＤにおいては、識別情報１１の送出状態情報１７ａが”１”である場合には、接続状態情報１７ｂは常に”１”であり、送出状態情報１７ａが”０”の場合には、接続状態情報１７ｂが”１”の場合と”０”の場合とがある。また、１つの管理ＩＤ１４に対して複数の識別情報１１が関連付けられる場合があるが、そのうち送出状態情報１７ａが”１”である識別情報１１は常に１つであり、他の識別情報１１の送出状態情報１７ａは”０”である。【００７８】
記憶装置１６内の識別情報データベースＥ内には、図９に示すように、予め複数の識別情報１１がいずれの管理ＩＤ１４とも架電先とも関連付けられていない状態で格納されている。その中の特定の識別情報１１ａが特定の管理ＩＤ１４ａと識別情報関連付け実行部１５ｅによって関連付けられると、情報管理データベースＤ内において管理ＩＤ１４ａに関連付けられて識別情報１１ａが設定され、その識別情報１１ａに対して送出状態情報１７ａ及び接続状態情報１７ｂが送出状態変更部１５ｇ及び接続状態変更部１５ｈによって設定されるようになっている。そして、管理ＩＤ１４ａと識別情報１１ａとの関連付けが識別情報関連付け実行部１５ｅによって解除されると、情報管理データベースＤ内において管理ＩＤ１４ａに関連付けられた識別情報１１ａが削除されるようになっている。そして、情報管理データベースＤ内からすべての識別情報１１ａが削除されると、識別情報１１ａが再び識別情報データベースＥ内へと格納されるようになっている。その後、今度は別の管理ＩＤ１４ｂと識別情報１１ａとが関連付けられると、情報管理データベースＤ内の管理ＩＤ１４ｂに対応する欄に識別情報１１ａが設定されるようになっている。【００７９】
この識別情報データベースＥ内の複数の識別情報は、上記のようにいずれの管理ＩＤ１４とも架電先とも関連付けられていない状態で格納されていてもよいが、例えば、予め架電先（すなわち広告主）との関連付けだけが行われていてもよい。例えば、１，０００，０００，０００種類の識別情報が格納されている場合において、５つの架電先（広告主）に対してそれぞれ２００，０００，０００種類ずつの識別情報が予め割り当てられていてもよい。その場合、後述する識別情報関連付け実行部１５ｅがこの識別情報データベースＥから識別情報を抽出する際に、管理ＩＤ１４が指標する架電先（広告主）の情報に基づき、その架電先に割り当てられているものの中から１つの識別情報を抽出することとなる。【００８０】
第１判別部１５ｃは、情報管理データベースＤを参照することにより、管理情報ＩＤ１４ａと関連付けされている識別情報１１の有無を判別し、関連付けられた識別情報１１（本実施の形態においては識別情報１１ａ。）が有る場合には、「識別情報有り」を指標する情報を第２判別部１５ｄに向けて送出する。管理ＩＤ１４ａに関連付けられている識別情報１１が無い場合には、「識別情報無し」を指標する情報を識別情報関連付け実行部１５ｅに向けて送出する。【００８１】
第２判別部１５ｄは、識別情報１１がウェブサーバに向けて提供可能な状態であるか否かを判別する機能を有する。すなわち、第１判別部１５ｃから「識別情報有り」を指標する情報を受け取った場合に、管理ＩＤ１４ａに関連付けられた識別情報１１ａの送出状態情報１７ａを情報管理データベースＤを参照して確認する。そして識別情報１１ａの送出状態情報１７ａが”１”、すなわち送出可能状態を指標していれば、「送出可能」を指標する情報を識別情報送出部１５ｆに向けて送出する。【００８２】
一方、管理ＩＤ１４ａに関連付けられたすべての識別情報１１の送出状態情報１７ａが”０”である場合、「送出不可能」を指標する情報を識別情報関連付け実行部１５ｅに向けて送出する。【００８３】
識別情報関連付け実行部１５ｅは、識別情報１１と管理ＩＤ１４とが関連付けられていない場合に、識別情報１１と管理ＩＤ１４との関連付けを行う機能を有する。すなわち、第１判別部１５ｃから「識別情報無し」を指標する情報を受け取ると、識別情報データベースＥからいずれの管理ＩＤ１４とも架電先とも関連付けられていない新たな識別情報１１ａを抽出し、管理ＩＤ１４ａとの関連付けを行う。【００８４】
なお、識別情報関連付け実行部１５ｅにより管理ＩＤ１４ａに新たな識別情報１１ａが関連付けられると、送出状態変更部１５ｇ及び接続状態変更部１５ｈにより、その識別情報１１ａの送出状態情報１７ａ及び接続状態情報１７ｂが共に”１”に設定される。そして、識別情報関連付け実行部１５ｅは、識別情報送出部１５ｆに向けて「識別情報有り」及び「送出可能」を指標する情報を送出する。【００８５】
また、識別情報関連付け実行部１５ｅは、識別情報１１が広告提供サーバ５ａ〜５ｃに向けて提供不可能な状態である場合に、その識別情報１１とは異なる他の識別情報１１ｅと管理ＩＤ１４との関連付けを行う機能も有する。すなわち、第２判別部１５ｄから「送出不可能」を指標する情報を受け取ると、識別情報データベースＥからいずれの管理ＩＤ１４とも架電先とも関連付けられておらず、管理ＩＤ１４ａに関連付けられた識別情報１１ａとは異なる他の識別情報１１ｅを抽出し、管理ＩＤ１４ａとの関連付けを行う。【００８６】
なお、識別情報関連付け実行部１５ｅにより管理ＩＤ１４ａに他の識別情報１１ｅが関連付けられると、送出状態変更部１５ｇ及び接続状態変更部１５ｈにより、他の識別情報１１ｅの送出状態情報１７ａ及び接続状態情報１７ｂが共に”１”に設定される。そして、識別情報関連付け実行部１５ｅは、識別情報送出部１５ｆに向けて「識別情報有り」及び「送出可能」を指標する情報を送出する。【００８７】
識別情報送出部１５ｆは、識別情報１１と管理ＩＤ１４とが関連付けられており、かつ提供可能な状態である場合に、識別情報１１を広告提供サーバ５ａ〜５ｃに向けて送出する機能を有する。すなわち、第２判別部１５ｄから「送出可能」を指標する情報を受け取った場合、又は識別情報関連付け実行部１５ｅから「識別情報有り」及び「送出可能」を指標する情報を受け取った場合には、管理ＩＤ１４ａが指標する広告提供サーバ５ａに向けて管理ＩＤ１４ａに関連付けられかつ送出可能な識別情報１１を送出する。【００８８】
ＣＰＵ１５によるこれら一連の機能及び動作により、利用者Ｕが広告提供サイト１２ａにアクセスした場合に、その時点で管理ＩＤ１４ａに関連付けられ、かつ送出可能とされている識別情報が広告提供サーバ５ａに向けて動的に送出され、広告提供サイト１２ａに表示されるようになっている。【００８９】
なお、本実施の形態１においては、第１判別部１５ｃが「識別情報無し」を判別した場合も、第２判別部１５ｄが「送出不可能」を判別した場合も、識別情報関連付け実行部１５ｅが管理ＩＤ１４ａに新たな識別情報１１を関連付けるように構成している。しかしながら、第１判別部１５ｃによる「識別情報無し」を指標する情報や、第２判別部１５ｄによる「送出不可能」を指標する情報が識別情報送出部１５ｆに向けて送出されるように構成し、それらの場合には、広告提供サーバ５ａへの識別情報の送出を行わないようにすることも可能である。【００９０】
次に、送出状態変更部１５ｇ、接続状態変更部１５ｈ、架電受付情報受信部１５ｊ、期間変更部１５ｋの各機能について、図１０の状態説明図を用いて説明する。図１０は、識別情報１１ａの各状態を説明するための状態説明図である。【００９１】
図中（ａ）で示す送出状態情報１７ａは、上述したように広告提供サーバ５ａからの要求信号があった場合に、その広告提供サーバ５ａに向けて識別情報１１ａを送出可能か否かを指標する情報である。この送出状態情報１７ａの送出可能を指標する”１”の状態と送出不可能を指標する”０”の状態とは、送出状態変更部１５ｇの機能に基づき設定及び変更される。【００９２】
（ｂ）で示す接続状態情報１７ｂは、識別情報１１ａに基づく架電を架電先に架電接続可能か否かを指標する情報である。この接続状態情報１７ｂの接続可能を指標する”１”の状態と接続不可能を指標する”０”の状態とは、接続状態変更部１５ｈの機能に基づき設定及び変更される。ここで、架電先とは、識別情報１１ａが関連付けられている管理ＩＤ１４ａが指標する広告主の連絡先（広告主電話器７）である。すなわち、識別情報１１ａが管理ＩＤ１４ａに関連付けされている場合は、その架電先は広告主電話器７（第１の架電先）であるが、識別情報１１ａが他の新たな管理ＩＤ１４ｄに関連付けされた場合は、その架電先は広告主電話器７とは異なる他の架電先（第２の架電先）となる。【００９３】
（ｃ）で示す管理ＩＤ１４との関連付け状態は、識別情報１１ａが管理ＩＤと関連付けられているか否かを指標する状態である。すなわち「Ｙ」の場合は、識別情報１１ａがいずれかの管理ＩＤ１４と関連付けられている状態であり、識別情報１１ａが識別情報データベースＥ内になく、情報管理データベースＤ内にある状態である。逆に、「Ｎ」の場合は、識別情報１１ａがいずれの管理ＩＤ１４とも関連付けられていない状態であり、識別情報１１ａが識別情報データベースＥ内にあり、情報管理データベースＤ内にない状態である。【００９４】
（ｄ）で示す抽出信号は、識別情報関連付け実行部１５ｅによる識別情報データベースＥ内からの抽出動作を表す信号である。この抽出信号が「ＯＮ」になったとき、識別情報データベースＥ内から識別情報１１ａが抽出されて管理ＩＤ１４との関連付けが行われ、その識別情報１１ａの送出状態情報１７ａ及び接続状態情報１７ｂが共に”１”に設定される。【００９５】
例えば、図中の公開期間Ｔ１において広告提供サイト１２ａに利用者Ｕがアクセスした場合、識別情報１１ａは管理ＩＤ１４ａに関連付けられており、送出可能かつ接続可能であるので、広告提供サイト１２ａに識別情報１１ａが表示される。そして、その識別情報１１ａに基づく架電が広告主電話器７へと接続される。【００９６】
しかし、図中の非公開期間（所定期間）Ｔ２において広告提供サイト１２ａに利用者Ｕがアクセスした場合、識別情報１１ａは管理ＩＤ１４ａに関連付けられているが、送出不可能な状態であるので、識別情報１１ａは広告提供サーバ５ａに向けて送出されない。このとき、識別情報関連付け実行部１５ｅによって抽出された他の識別情報１１ｅが広告提供サーバ５ａに向けて送出される。この非公開期間Ｔ２においては、識別情報１１ａは送出不可能な状態であるが、接続可能状態であるので、識別情報１１ａに基づく架電が行われた場合には、その架電は第１の架電先としての広告主電話器７へと接続される。なお、この公開期間Ｔ１と非公開期間Ｔ２とを合わせて接続可能期間Ｔ１２と呼ぶこととする。【００９７】
図中の無効期間Ｔ３において、広告提供サイト１２ａに利用者Ｕがアクセスした場合、識別情報１１ａは管理ＩＤ１４ａに関連付けられているが、送出不可能かつ接続不可能な状態である。したがって、識別情報１１ａは広告提供サーバ５ａに向けて送出されず、識別情報１１ａに基づく架電は、接続不可能（話中、呼出し状態、非接続アナウンス等。）とされる。なお、広告提供サイト１２ａには他の識別情報１１ｅが表示される。【００９８】
図中の関連付け解除期間Ｔ４において、広告提供サイト１２ａに利用者Ｕがアクセスした場合も、無効期間Ｔ３と同様である。ただし、この関連付け解除期間Ｔ４においては、管理ＩＤ１４ａと識別情報１１ａとの関連付けが解除され、識別情報１１ａが情報管理データベースＤから削除されて識別情報データベースＥ内へと格納されている。したがって、識別情報１１ａは、他の広告提供サーバからの要求信号に基づいて、いずれの管理ＩＤ１４及び架電先とも関連付け可能な状態となっている。なお、無効期間Ｔ３と関連付け解除期間Ｔ４とを合わせて接続不可能期間Ｔ３４と呼ぶこととする。【００９９】
なお、これらの各期間Ｔ１〜Ｔ４は任意の時間又は期間に設定することが可能である。また、特に公開期間Ｔ１等においては、時間を基準とするのでなく広告提供サーバ５ａへのアクセス回数（すなわち、広告提供サーバ５ａに向けての識別情報１１ａの送出回数。）を基準として設定することも可能である。【０１００】
この関連付け解除期間Ｔ４において、識別情報関連付け実行部１５ｅによる識別情報１１ａの抽出（図中Ｘ）が実行され、新たな管理ＩＤ（新たな管理情報）１４ｄとの関連付けが行われると、識別情報１１ａは新たな管理ＩＤ１４ｄが指標する広告提供サーバへと送出され、また、識別情報１１ａに基づく架電は新たな管理ＩＤ１４ｄが指標する第２の架電先へと接続されるようになる。【０１０１】
架電受付情報受信部１５ｊは、識別情報１１ａに基づく架電があったことを指標する架電受付情報１８を架電受付サーバ２から受信する機能を有する。そして、情報管理データベースＤに基づき、識別情報１１ａに関連付けられかつ接続可能とされている架電先の情報を架電受付サーバ２に向けて返送する。【０１０２】
すなわち、情報管理データベースＤ内に識別情報１１ａが無い場合、又は識別情報１１ａが有ってもその接続状態情報１７ｂが”０”である場合には、「接続不可能」を指標する情報を架電受付サーバ２へと返送する。一方、情報管理データベースＤ内に識別情報１１ａが有り、かつその接続状態情報１７ｂが”１”である場合は、識別情報１１ａに関連付けられた管理ＩＤ１４ａに基づき、架電先としての広告主電話器７の電話番号情報を架電受付サーバ２へと返送する。【０１０３】
期間変更部１５ｋは、識別情報１１ａを送出不可能な状態へと変化させてから広告主電話器７に架電接続不可能な状態へと変化させるまでの非公開期間（所定期間）Ｔ２内に、識別情報１１ａに基づく架電があった場合にその非公開期間Ｔ２を延長する機能を有する。すなわち、非公開期間Ｔ２内に識別情報１１ａに基づく架電受付情報１８を架電受付情報受信部１５ｊが受信した場合、識別情報１１ａに関連する広告情報９ａの広告効果が残存しているとの判断のもとに、その架電を広告主電話器７へと接続可能な期間を延長する。【０１０４】
例えば、非公開期間Ｔ２内の特定の時点（例えば中間時点。）において、識別情報１１ａに基づく架電が全く無かった場合に、非公開期間Ｔ２を短縮するように構成するのももちろん可能である。【０１０５】
また、期間変更部１５ｋは、識別情報１１ａを広告主電話器７に架電接続不可能な状態へと変化させてから第２の架電先に架電接続可能な状態へと変化させるまでの接続不可能期間Ｔ３４内に識別情報１１ａに基づく架電があった場合に、接続不可能期間Ｔ３４を延長する機能を有する。特に、無効期間Ｔ３内に識別情報１１ａに基づく架電受付情報１８を架電受付情報受信部１５ｊが受信した場合、識別情報１１ａを新たな架電先に関連付けるのは時期尚早であるとの判断のもとに、その架電を接続不可能とする無効期間Ｔ３を延長する。【０１０６】
例えば、無効期間Ｔ３内の特定の時点（例えば中間時点。）において、識別情報１１ａに基づく架電が全く無かった場合に、無効期間Ｔ３を短縮するように構成するのももちろん可能である。【０１０７】
架電受付サーバ２は、利用者Ｕの利用者電話器８からの架電を受け付けるためのサーバコンピュータであり、情報管理サーバ１及び電話回線網Ｎに接続されている。この電話回線網Ｎには、利用者電話器８及び広告主Ａの広告主電話器７も接続されており、利用者Ｕから架電受付サーバ２を介して広告主Ａへと電話を架けることができるようになっている。【０１０８】
架電受付サーバ２は、内部に図示しない演算処理装置（ＣＰＵ）を有しており、そのＣＰＵが、架電受付部、入力情報抽出部、情報送出部、架電先情報受信部及び架電接続部として機能する。【０１０９】
架電受付部は、利用者電話器８から行われた架電を受け付ける機能を有する。具体的には、広告提供サイト１２ａを閲覧した利用者Ｕが、サイトページに表示された識別情報１１ａ（１７桁の電話番号情報「０１２５４２３−００１１００２５５３」。）を利用者電話器８に入力すると、その前半７桁のサーバ識別番号に基づき架電受付サーバ２宛に架電が行われる。架電受付部は、着信することなくその架電を受け付け、入力された１７桁の電話番号「０１２５４２３−００１１００２５５３」の情報を取得する。架電受付部が着信しないので、電話を架けた利用者Ｕにとっては架電受付サーバ２の中継を意識することなく、あたかも直接架電先に電話を架けたかのようにスムーズに通話を行うことができる。【０１１０】
入力情報抽出部は、架電受付部から電話番号情報を受け取ると、その電話番号情報を入力情報１９として抽出する機能を有する。本実施の形態１においては、利用者Ｕが利用者電話器８に入力する電話番号情報の１７桁すべてが入力情報１９として抽出されるが、もちろん電話番号情報の一部が入力情報１９として抽出されてもよいし、利用者Ｕがキーワード等の情報に基づき発声した音声情報が入力情報１９として抽出されてもよい。【０１１１】
例えば、利用者Ｕが前半７桁のサーバ識別番号を入力して架電を行うと架電受付サーバ２が着信し、その自動応答中に後半１０桁の広告識別番号を入力すれば、その広告識別番号が入力情報１９として入力情報抽出部によって抽出されるようになっていてもよい。【０１１２】
また、架電受付サーバ２が音声認識機能を有している場合において、その自動応答中に利用者Ｕが入力情報１９としてのキーワードを発声することにより、その音声情報が入力情報抽出部によって入力情報１９として抽出されるようになっていてもよい。例えば電話口で利用者Ｕが「００１１００２５５３」と発声すると、その架電における広告識別番号が「００１１００２５５３」であると認識されるようになっていてもよい。【０１１３】
なお、本実施の形態１においては、識別情報１１ａとしての電話番号情報が「０１２５４２３−００１１００２５５３」の場合も、識別情報１１ｂとしての電話番号情報が「０１２５４２３−００１１００２５５４」の場合も、識別情報１１ｃとしての電話番号情報が「０１２５４２３−００１１００２５５５」の場合も、広告主Ａの広告主電話器７が架電先とされる。そして、電話番号情報の番号、具体的には下１桁の番号の相違により、利用者Ｕがいずれの広告情報９ａ〜９ｃに基づき架電を行ったかが把握できるようになっている。【０１１４】
情報送出部は、入力情報抽出部により抽出された入力情報１９を架電受付情報１８と共に情報管理サーバ１に向けて送出する機能を有している。その入力情報１９及び架電受付情報１８は、架電受付情報受信部１５ｊによって受信される。【０１１５】
架電先情報受信部１５ｊは、入力情報１９に対応する識別情報１１ａにいずれかの架電先が関連付けられている場合にその架電先の情報を受信し、識別情報１１ａにいずれの架電先も関連付けられていない場合に架電先無しを指標する情報を受信する機能を有する。より詳しくは、入力情報１９に対応する識別情報１１ａが管理ＩＤ１４ａに関連付けられており、かつその識別情報１１ａの接続状態情報１７ｂが”１”の場合、管理ＩＤ１４ａが指標する架電先としての広告主Ａの電話番号情報を受信する。一方、識別情報１１ａがいずれの管理ＩＤ１４にも関連付けられていない場合、又は管理ＩＤ１４に関連付けられているがその接続状態情報１７ｂが”０”である場合、架電先無しに対応する「接続不可能」の指標情報を受信する。【０１１６】
架電接続部は、架電先情報受信部１５ｊが受信した情報が架電先の情報（広告主Ａの電話番号情報。）である場合に、架電を広告主電話器７へと接続する。一方、架電先情報受信部１５ｊが受信した情報が「接続不可能」を指標する情報である場合に、架電を非接続とする。【０１１７】
なお、本実施の形態１においては、架電受付サーバ２が架電中の入力情報を抽出し情報管理サーバ１に向けて入力情報を送出するように構成した例について説明しているが、もちろん、情報管理サーバ１が入力情報抽出部を有して、架電受付サーバ２から架電情報を受け取るとその情報の中から入力情報を抽出するように構成されていてもよい。【０１１８】
また、本実施の形態１においては、情報管理サーバ１と架電受付サーバ２とを各々別体として構成した例について説明しているが、もちろん１つのサーバコンピュータによってこれら両者の機能が実現されるように構成されていてもよい。更に、１つのサーバコンピュータが、情報管理サーバ１、架電受付サーバ２に加え、事業者サーバ４としての機能をも併せ持っていてもよい。【０１１９】
次に、この実施の形態１に係る広告情報管理方法を用いた広告情報管理システムＳの動作について図１１、図１２に示すフローチャートを用いて説明する。【０１２０】
まず、利用者Ｕが広告提供サイト１２ａを閲覧した際に、そのウェブページ内に識別情報１１が表示されるまでの手順について図１１を用いて説明する。広告主Ａからの広告掲載の依頼に基づいて、広告主サーバ３がバナー画像９を事業者サーバ４に向けて送出する（Ｓ．１）。事業者サーバ４は、受け取ったバナー画像９を情報管理サーバ１に向けて送出する（Ｓ．２）。情報管理サーバ１は、受け取ったバナー画像９に対してスクリプト２１を合成し、事業者サーバ４に向けて送出する（Ｓ．３）。【０１２１】
事業者サーバ４は、受け取った合成後のバナー画像９を複数の広告情報９ａ〜９ｃとして複数の管理ＩＤ１４ａ〜１４ｃに関連付け（Ｓ．４）、その広告情報９ａ〜９ｃを各々広告提供サーバ５ａ〜５ｃに向けて送出する（Ｓ．５）。【０１２２】
広告提供サーバ５ａ〜５ｃは、受け取った広告情報９ａ〜９ｃを各々広告提供サイト１２ａ〜１２ｃのウェブページ上に掲載する（Ｓ．６）。【０１２３】
利用者Ｕが利用者コンピュータ６を用いて広告提供サーバ５ａにアクセスし、広告提供サイト１２ａを閲覧すると、広告情報９ａのスクリプト２１の機能により、管理ＩＤ１４ａと要求信号とが情報管理サーバ１に向けて送出される（Ｓ．７）。情報管理サーバ１において、管理ＩＤ１４ａに識別情報１１ａが関連付けられているか否かが判別される（Ｓ．８）。そして、管理ＩＤ１４ａに識別情報１１ａが関連付けられている場合（Ｓ．８）、その識別情報１１ａの送出状態情報１７ａが判別される（Ｓ．９）。識別情報１１ａの送出状態情報１７ａが”１”であれば（Ｓ．９）、広告提供サーバ５ａに向けて識別情報１１ａが送出され（Ｓ．１０）、広告提供サイト１２ａのウェブページに識別情報１１ａが表示される。【０１２４】
管理ＩＤ１４ａに識別情報１１ａが関連付けられている場合であっても（Ｓ．８）、識別情報１１ａの送出状態情報１７ａが”０”である場合（Ｓ．９）、識別情報１１ａとは異なる他の識別情報１１ｅが識別情報データベースＥから抽出され（Ｓ．１１）、その識別情報１１ｅが広告提供サーバ５ａに向けて送出され（Ｓ．１２）、広告提供サイト１２ａのウェブページに識別情報１１ｅが表示される。もちろん、ここで、識別情報１１ａとは別の識別情報１１ｄが管理ＩＤ１４ａに関連付けられており、その識別情報１１ｄの送出状態情報１７ａが”１”であれば、識別情報１１ｅの抽出を行うことなくその識別情報１１ｄが広告提供サーバ５ａに向けて送出される。【０１２５】
管理ＩＤ１４ａに識別情報１１ａを含めいずれの識別情報も関連付けられていない場合（Ｓ．８）、新たな識別情報１１ａが識別情報データベースＥから抽出され（Ｓ．１３）、その識別情報１１ａが広告提供サーバ５ａに向けて送出され（Ｓ．１４）、広告提供サイト１２ａのウェブページに識別情報１１ａが表示される。【０１２６】
続いて、識別情報１１ａを見た利用者Ｕによる架電の接続処理について図１２を用いて説明する。広告提供サイト１２ａのウェブページ内に表示された識別情報１１ａに基づき、利用者Ｕが利用者電話器８に入力情報１９を入力して架電を行う（Ｓ．３１）。架電受付サーバ２が架電を受け付けて入力情報１９を抽出する（Ｓ．３２）。架電受付サーバ２は、抽出した入力情報１９と架電受付情報１８とを情報管理サーバ１に向けて送信する（Ｓ．３３）。【０１２７】
情報管理サーバ１は、受け取った入力情報１９に基づき、その入力情報１９に対応する識別情報１１ａが管理ＩＤ１４に関連付けられているか否かについて（Ｓ．３４）、及び識別情報１１ａの接続状態情報１７ｂを確認する（Ｓ．３５）。そして、識別情報１１ａが管理ＩＤ１４に関連付けられ（Ｓ．３４）、かつその接続状態情報１７ｂが”１”である場合に（Ｓ．３５）、架電受付サーバ２に向けて架電先情報（広告主Ａの電話番号情報。）を返送する（Ｓ．３６）。そして、架電受付サーバ２は、返送された架電先情報に基づき、利用者Ｕからの架電を広告主電話器７へと接続する（Ｓ．３７）。【０１２８】
識別情報１１ａが管理ＩＤ１４に関連付けられていない場合（Ｓ．３４）、又は識別情報１１ａの接続状態情報１７ｂが”０”の場合に（Ｓ．３５）、情報管理サーバ１は架電受付サーバ２に向けて「接続不可能」を指標する情報を返送する（Ｓ．３８）。架電受付サーバ２は、利用者Ｕからの架電を非接続処理（話中処理、呼出し中処理、非接続のアナウンス処理等。）する（Ｓ．３９）。【０１２９】
［実施の形態２］
図１３は、本発明の実施の形態２に係る情報管理方法を用いた広告情報管理システムＳ’の全体構成を示す概略構成図である。なお、本実施の形態２において、実施の形態１と同様の構成については同様の符号を付してその説明を省略する。【０１３０】
この実施の形態２は、例えば広告提供サイト１２ａ〜１２ｃが携帯電話用サイト等である場合において、広告提供サイト１２ａ〜１２ｃにおいてスクリプト２１の機能を用いることができない場合に対応する広告情報管理システムＳ’について説明する。【０１３１】
この実施の形態２においては、事業者サーバ４が広告主サーバ３からバナー画像９を受け取ると、バナー画像９に対して情報管理サーバ１内に構築されたランディングページ１ａ〜１ｃへのリンク処理を各々行い、各々管理ＩＤ１４ａ〜１４ｃに関連付けて広告提供サーバ５ａ〜５ｃへと送出する。したがって、情報管理サーバ１によるバナー画像９へのスクリプト２１の合成処理は行われない。【０１３２】
一方、情報管理サーバ１内には、管理ＩＤ１４ａ〜１４ｃに各々対応してランディングページ１ａ〜１ｃが構築されている。このランディングページ１ａ〜１ｃはウェブページであって、内部にスクリプト２１が埋め込まれている。例えば、広告情報９ａからのリンクに基づきランディングページ１ａにアクセスがあると、ランディングページ１ａ内のスクリプト２１の機能に基づき、管理ＩＤ１４ａの情報と要求信号とがＣＰＵ１５の管理ＩＤ取得部１５ｂへと送出されるようになっている。したがって、ランディングページ１ａ内には、管理ＩＤ１４ａに関連付けられた識別情報１１ａが表示されるようになっている。【０１３３】
もちろん、各広告情報９ａ〜９ｃに各々対応して別々のランディングページ１ａ〜１ｃを構築するのでなく、複数の広告情報９ａ〜９ｃからのリンクによってアクセスされる１つのランディングページ１ａを構築し、そのアクセスに際して各広告情報９ａ〜９ｃを掲載する広告提供サーバ５ａ〜５ｃから各々対応する管理ＩＤ１４ａ〜１４ｃがランディングページ１ａに送出されるように構成してもよい。それにより、ランディングページ１ａは、受け取った管理ＩＤ１４ａ〜１４ｃに対応する識別情報１１ａ〜１１ｃを適正に表示することができる。【０１３４】
以上、本発明の好ましい実施の形態を説明したが、本発明はこれらに限定されるものではなく、その要旨の範囲内で様々な変形や変更が可能である。【０１３５】
例えば、実施の形態１，２において、広告主サイト３ａが広告情報９ａ〜９ｃにリンクされ、広告情報９ａ〜９ｃをクリックすることにより広告主サイト３ａの内容が利用者コンピュータ６に表示される構成について説明しているが、この広告主サイト３ａは必須の要件ではない。すなわち、実施の形態１において、広告情報９ａ〜９ｃのリンク先が広告主サイト３ａでなく他のサイト（広告主Ａでない他の者が管理するサイト。）であってもよいし、広告情報９ａ〜９ｃがいずれのサイトをリンクしなくても本発明の趣旨を逸脱することはない。【０１３６】
もちろんこの場合においては、広告主サイト３ａからバナー画像９が事業者サーバ４に向けて送出されるのでなく、上記他のサイトから事業者サーバ４に向けてバナー画像９が送出されてもよいし、事業者サーバ４内でバナー画像９が生成されるようになっていてもよい。
【図面の簡単な説明】
【０１３７】
【図１】本発明の実施の形態１に係る情報管理方法を用いた広告情報管理システムの全体構成を示す概略ブロック図である。
【図２】図１に示す事業者サーバ内に構築された管理ＩＤデータベースのデータ構造図である。
【図３】図１に示す広告提供サーバ内に構築された広告提供サイトのウェブページの表示画面例である。
【図４】広告提供サイトに識別情報をバルーン表示する方法を説明する図であって、（ａ）はマウスポインタがバナー画像上になく識別情報がバルーン表示されていない状態を示し、（ｂ）はマウスポインタがバナー画像上にあり識別情報がバルーン表示されている状態を示す。
【図５】広告提供サイトに識別情報を別ウィンドウ表示する方法を説明する図であって、（ａ）はバナー画像をクリックする前であって識別情報が表示されていない状態を示し、（ｂ）はバナー画像をクリックして識別情報が別ウィンドウ表示された状態を示す。
【図６】図１に示す情報管理サーバの内部構成の概略を示すブロック図である。
【図７】図６に示すＣＰＵが発揮する各機能及びその動作を説明する説明図である。
【図８】図６に示す情報管理サーバ内に構築された情報管理データベースのデータ構造図である。
【図９】図６に示す情報管理サーバ内に構築された識別情報データベースのデータ構造図である。
【図１０】図６に示す情報管理サーバ内で管理される識別情報の各状態を説明する状態説明図である。
【図１１】本発明の実施の形態１に係る情報管理方法を用いた広告情報管理システムの動作を説明するフローチャートであり、広告提供サイトのウェブページ内に識別情報が表示されるまでの手順について説明するものである。
【図１２】本発明の実施の形態１に係る情報管理方法を用いた広告情報管理システムの動作を説明するフローチャートであり、利用者による架電の接続処理について説明するものである。
【図１３】本発明の実施の形態２に係る情報管理方法を用いた広告情報管理システムの全体構成を示す概略ブロック図である。
【符号の説明】
【０１３８】
Ａ：広告主
Ｄ：情報管理データベース
Ｅ：識別情報データベース
Ｍ：マウスポインタ
Ｎ：電話回線網
Ｐ：情報管理プログラム
Ｓ，Ｓ’：広告情報管理システム
Ｔ１：公開期間
Ｔ２：非公開期間（所定期間）
Ｔ１２：接続可能期間
Ｔ３：無効期間
Ｔ４：関連付け解除期間
Ｔ３４：接続不可能期間
Ｕ：利用者
Ｗ：インターネット
Ｘ：抽出
１：情報管理サーバ（情報管理装置）
１ａ〜１ｃ：ランディングページ
２：架電受付サーバ（架電受付装置）
３：広告主サーバ
３ａ：広告主サイト（第２のインターネットサイト）
４：事業者サーバ
４ａ：管理ＩＤデータベース
５ａ〜５ｃ：広告提供サーバ（ウェブサーバ）
６：利用者コンピュータ
７：広告主電話器（第１の架電先）
８：利用者電話器
９：バナー画像
９ａ〜９ｃ：広告情報
１１，１１ａ〜１１ｄ：識別情報
１１ｅ：他の識別情報
１２ａ〜１２ｃ：広告提供サイト（第１のインターネットサイト）
１３ａ：広告掲載枠
１４，１４ａ〜１４ｃ：管理ＩＤ（管理情報）
１４ｄ：管理ＩＤ（新たな管理情報）
１４ｐ：ＭＩＤ（広告主ＩＤ）
１４ｑ：ＤＩＤ（広告事業者ＩＤ）
１４ｒ：ＰＩＤ（商材ＩＤ）
１４ｓ：ＳＩＤ（広告提供サイトＩＤ）
１４ｔ：ＵＩＤ（個人ページＩＤ）
１５：ＣＰＵ（コンピュータ）
１５ａ：スクリプト合成部
１５ｂ：管理ＩＤ取得部（管理情報取得部）
１５ｃ：第１判別部
１５ｄ：第２判別部
１５ｅ：識別情報関連付け実行部
１５ｆ：識別情報送出部
１５ｇ：送出状態変更部
１５ｈ：接続状態変更部
１５ｊ：架電受付情報受信部
１５ｋ：期間変更部
１６：記憶装置
１７：状態情報
１７ａ：送出状態情報
１７ｂ：接続状態情報
１８：架電受付情報
１９：入力情報
２１：スクリプト（指標情報）
【図１】
2009016740.tif 000003
【図２】
2009016740.tif 000004
【図３】
2009016740.tif 000005
【図４】
2009016740.tif 000006
【図５】
2009016740.tif 000007
【図６】
2009016740.tif 000008
【図７】
2009016740.tif 000009
【図８】
2009016740.tif 000010
【図９】
2009016740.tif 000011
【図１０】
2009016740.tif 000012
【図１１】
2009016740.tif 000013
【図１２】
2009016740.tif 000014
【図１３】
2009016740.tif 000015
【国際調査報告】
2009016740.tif 000016
2009016740.tif 000017